(57)【要約】【課題】ポップアップ式の排水栓の施工し易く、且つ浴槽排水時のオーバーフロー水等によるレリースワイヤーの位置ずれや貫通孔の水密性能の低下を抑制した浴槽排水部の接続構造を提供する。【解決手段】本発明は、底面に排水口１４が設けられた浴槽１と、排水口１４に開閉自在に設けられた開閉栓２１と、開閉栓２１を開閉駆動させるレリース２３と、排水開口５２を設けた浴槽パン５１と、排水開口５２を覆う蓋部４とを備え、蓋部４は、排水口１４と排水開口５２とを連通させる連通孔４１と、排水口１４に固定される固定部４２と、上方に突出して内部に空間４５２を有した突出部４５とを備え、連通孔４１の流路筒４３より平面視外方に突出部４５を設け、空間４５２が下方側で連通孔４１又は排水開口５２に連通し、突出部４５の浴槽パン５１より上方の部位に、レリース２３を水密で貫通させる貫通孔４６が設けてある。【選択図】図１
2014031678.tif 000002
【特許請求の範囲】
【請求項１】
底面に排水口が設けられた浴槽と、前記排水口に開閉自在に設けられた開閉栓と、前記開閉栓に連結されて当該開閉栓を開閉駆動させるレリースと、前記排水口に対応する位置に排水開口が設けられた浴槽パンと、前記排水開口を覆う蓋部とを備え、
前記蓋部には、前記排水口と前記排水開口とを連通させる連通孔が設けられ、
前記レリースが前記連通孔に通されると共に前記蓋部の下方で曲げられて当該蓋部を上下に貫通した浴槽排水部の取付構造であって、
前記蓋部は、前記排水口に固定される固定部と、上方に突出して内部に空間を有した突出部とを備え、
前記連通孔が、前記排水口に連通した流路筒を備え、
この流路筒より平面視外方に前記突出部を設け、前記突出部の前記空間が下方側で前記連通孔又は前記排水開口に連通し、
この突出部の前記浴槽パンより上方の部位に、前記レリースを水密状態で貫通させる貫通孔が設けてある
ことを特徴とする浴槽排水部の接続構造。
【請求項２】
前記突出部は、平面視前記排水口から離れる程下向きに傾斜した傾斜面を、前記浴槽パンより上方に有し、
当該傾斜面に前記貫通孔が設けてある
ことを特徴とする請求項１記載の浴槽排水部の接続構造。
【発明の詳細な説明】
【技術分野】
【０００１】
本発明は、浴槽排水部の接続構造に関する。
【背景技術】
【０００２】
従来から、浴槽の浴槽パンとの排水部における接続構造は、例えば特許文献１等の遠隔操作式排水栓装置の配管構造等がある。この配管構造では、底面に排水栓（排水口）を有した浴槽と、浴槽を載置し接続孔を有した防水パンと、排水栓を遠隔操作によって開閉する遠隔操作式排水栓装置と、接続孔に接続される排水機器とを備える。遠隔操作式排水栓装置は、遠隔操作用に、レリースワイヤーを備える。排水機器は、排水栓からの水が流入される流入口に、レリースワイヤー挿通用の挿通孔を有した目皿部材が取り付けられる。防水パンの下方には、排水エルボ部材が配置されており、前記水が流入口を介して流入する。排水エルボ部材は下流側に排水管が接続されており、前記水を排水管に排出する。
【０００３】
また、特許文献１の配管構造では、浴槽の防水パンへの載置後に、レリースワイヤーを目皿部材の上方から、ゴムブッシュ等の水密部材を介して挿通孔に挿通させ、排水エルボ部材内に配置する。この後、前記配管構造では、ペンチ等を使用して、排水栓の上方から排水エルボ部材内のレリースワイヤーの先端を、排水栓内へと引き上げて弁体に接続させ、施工が完了となる。
【先行技術文献】
【特許文献】
【０００４】
【特許文献１】特開２００１−２９５３４３号公報
【発明の概要】
【発明が解決しようとする課題】
【０００５】
ところで、前記配管構造等の従来の接続構造では、浴槽からの排水時に、前記水の排水エルボ部材への流入量が排水管への排出量より多くなり、この水の一部が目皿部材を介して防水パン上にオーバーフローすることがある。この場合には、オーバーフローした水が、前記挿通孔周辺にも流れ込み、この水圧等で、レリースワイヤーの挿通孔に対する取付位置がずれたり、例えば挿通孔に設けた水密用部材等が外れる等で挿通孔の水密性能が低下したりする恐れがある。
【０００６】
また、従来の接続構造では、レリースワイヤーの先端を狭い排水栓内を介して排水エルボ部材（防水パンの下方）から引き出す等で、施工時に手間がかかり易く、施工し難いという問題もある。
【０００７】
本発明は、上記事情に鑑みてなされたものである。その目的とするところは、ポップアップ式の排水栓の施工し易く、且つ浴槽排水時のオーバーフロー水等によるレリースワイヤーの位置ずれや貫通孔の水密性能の低下を抑制した浴槽排水部の接続構造を提供することにある。
【課題を解決するための手段】
【０００８】
本発明は、底面に排水口が設けられた浴槽と、前記排水口に開閉自在に設けられた開閉栓と、前記開閉栓に連結されて当該開閉栓を開閉駆動させるレリースと、前記排水口に対応する位置に排水開口が設けられた浴槽パンと、前記排水開口を覆う蓋部とを備え、前記蓋部には、前記排水口と前記排水開口とを連通させる連通孔が設けられ、前記レリースが前記連通孔に通されると共に前記蓋部の下方で曲げられて当該蓋部を上下に貫通した浴槽排水部の取付構造であって、前記蓋部は、前記排水口に固定される固定部と、上方に突出して内部に空間を有した突出部とを備え、前記連通孔が、前記排水口に連通した流路筒を備え、この流路筒より平面視外方に前記突出部を設け、前記突出部の前記空間が下方側で前記連通孔又は前記排水開口に連通し、この突出部の前記浴槽パンより上方の部位に、前記レリースを水密状態で貫通させる貫通孔が設けてあることを特徴とする。
【０００９】
またこの浴槽排水部の接続構造において、前記突出部は、平面視前記排水口から離れる程下向きに傾斜した傾斜面を、前記浴槽パンより上方に有し、当該傾斜面に前記貫通孔が設けてあることが好ましい。
【発明の効果】
【００１０】
本発明は、前記構成を具備したことで、浴槽を浴槽パンに設置する前に、開閉栓及びレリースを浴槽に設置することができる。これにより本発明は、例えば排水口等の狭い領域等を介したレリースの引出し作業等を行わずに、レリースを浴槽に設置することができる。このため本発明は、ポップアップ式の排水栓を設置するに当たり、施工し易くすることができる。そして本発明は、前記構成を具備したことで、例えば浴槽の排水時に浴槽からの水が浴槽パンの上面に溢れた際（オーバーフローした際）等に、この溢れた水（水面）より上方に貫通孔を位置し易くすることができる。これにより本発明は、例えば前記水によってレリースの貫通孔への取付位置がずれたり、例えば貫通孔に設けた水密用部材が水に押し流される等で水密性能が低下したりすること等を抑制することができる。
【図面の簡単な説明】
【００１１】
【図１】浴槽排水部の接続構造の側断面図である。
【図２】排水トラップ部の平面図である。
【図３】図２のＢ−Ｂ断面図である。
【図４】図２のＣ−Ｃ断面図である。
【発明を実施するための形態】
【００１２】
以下、本発明の実施形態について添付図面に基づいて説明する。
【００１３】
本実施形態の浴槽排水部の接続構造（以下、本接続構造とする）は、図１に示すように、底面に排水口１４が設けられた浴槽１と、浴槽１が載置される防水パン５と、防水パン５の下方（裏側）に取り付けられる排水トラップ部６（排水用部材）とを備えている。防水パン５は、浴槽１の下方に敷設される浴槽パン５１と、浴槽パン５１に隣接した洗い場となる洗い場パン５３とを備えている。更に防水パン５は、図４に示すように、浴槽パン５１と洗い場パン５３との間に、堰部５４を有している。
【００１４】
浴槽パン５１は、図３に示されるように、浴槽１の排水口１４に対応する位置に排水開口５２が設けられている。排水開口５２には、排水トラップ部６が取り付けられる。排水開口５２は、平面視略円形をしている。洗い場パン５３は、図４に示されるように、その底部に、洗い場の湯水を排水するための洗い場側の排水口５５が設けられている。以下、浴槽１の排水口１４と区別するため、第２排水口５５と記載する。第２排水口５５にも排水トラップ部６が取り付けられる。なお本接続構造において排水トラップ部６は、第２排水口５５と排水開口５２とに跨って取り付けられている。
【００１５】
排水トラップ部６は、浴槽１側の排水開口５２から排水される湯水を、第２排水口５５から排水される湯水に合流させて排水する連通型の排水トラップである。排水トラップ部６は、図２に示されるように、浴槽側の第１トラップ部７と、洗い場側の第２トラップ部９と、これらを連通する連通経路６１とを備えている。
【００１６】
第１トラップ部７は、図３に示されるように、浴槽１からの排水を受ける第１トラップ本体７１と、第１トラップ本体７１を浴槽パン５１に取り付けるための第１内筒体７２とを備えている。
【００１７】
第１トラップ本体７１は、排水開口５２に連通接続される第１開口部７３と、第２トラップ部９側に向けて開口する流出部７４とを備えている。第１開口部７３は、上方に開口する筒状部７５と、筒状部７５の上端から外方に向けて突出した下フランジ部７６とを備えている。筒状部７５の内周面には、第１のねじ部７５１が形成されている。
【００１８】
第１内筒体７２は、筒状部７５の内側にねじ込まれる円筒部７７と、円筒部７７の上端から径外方向に突出した上フランジ部７８とを備えている。また第１内筒体７２は、その下端部に、径内方向に突出する受け片７９を有している。円筒部７７は、その外周面に、第１のねじ部７５１に螺合する第２のねじ部７７１が形成されている。
【００１９】
第１トラップ部７を浴槽パン５１に取り付けるには、次のようにして施工する。施工者は、下フランジ部７６を排水開口５２の周縁部下面にパッキン５２１を介して当接させる。この状態で施工者は、第１内筒体７２を第１トラップ本体７１の内側に螺合させて、上フランジ部７８と下フランジ部７６との間で排水開口５２の周縁部を挟持させる。これにより第１トラップ部７は浴槽パン５１に固定される。
【００２０】
第１トラップ部７は、トラップカバー８０を有している。トラップカバー８０は第１内筒体７２の内側に取り付けられており、図２に示すように、排水開口５２を覆っている。トラップカバー８０は、図３に示すように、円筒状の立面部８１と、立面部８１から径内側に突出した円状の覆い部８２とを備えている。立面部８１は、その上部外周側がパッキン８１１を介して第１内筒体７２の内周面側に嵌め込まれる。立面部８１は、その下端が受け片７９に載置される。
【００２１】
覆い部８２は、その円の半周部分に、略長円形の連通開口８３が設けられている。連通開口８３は、浴槽１側に固定された蓋部４（詳細は後述する）により、浴槽１を浴槽パン５１に載置した際に閉塞される。覆い部８２は、連通開口８３の開口周縁に垂下片８４が設けられている。
【００２２】
垂下片８４は、下方に向けて突出しており、連通開口８３の全周に亘って設けられている。このため垂下片８４は略長円形の筒状になっており、筒内が流路として機能している。そして垂下片８４は、筒の下端がトラップ部６の封水線Ｌ１より下方に位置する。そのため、垂下片８４は、第１トラップ部７のトラップ筒として機能する。
【００２３】
また覆い部８２は、その円の残りの半周部位に、浴槽パン５１用の排水部８５が設けられている。これにより浴槽パン５１上の水が第１トラップ部７に排出される。なお排水部８５には、臭気逆流防止用の弁部材（不図示）が設けてある。これにより本接続構造は、第１トラップ部７内の臭気を浴槽パン５１の上面５１ａ側へ漏れ難くしている。
【００２４】
第２トラップ部９は、図４に示されるように、洗い場からの排水を受ける第２トラップ本体９１と、第２トラップ本体９１を洗い場パン５３に取り付けるための第２内筒体９２とを備えている。
【００２５】
第２トラップ本体９１は、第２排水口５５に連通接続される第２開口部９３と、第１トラップ部７側に臨んで開口する流入部９４とを備えている。第２開口部９３は、上方に開口する筒状部９５と、筒状部９５の上端から外方に向けて突出した下フランジ部９６とを備えている。筒状部９５の内周面には、第３のねじ部９５１が形成されている。
【００２６】
第２内筒体９２は、筒状部７７の内側にねじ込まれる円筒部９７と、円筒部９７の上端から径外方向に突出した上フランジ部９８とを備えている。円筒部９７は、内側上部に目皿５７が配置される。円筒部９７は、その下端部に、径内方向に突出した受け片９９が設けてある。受け片９９は、その上面で後述のトラップ筒１０２を支持する。また円筒部９７は、その外周面に第４のねじ部９７１が形成されており、第４のねじ部９７１は第３のねじ部９５１に螺合する。
【００２７】
第２トラップ部９を洗い場パン５３に取り付けるには、次のようにして施工する。施工者は、洗い場パン５３の第２排水口５５の周縁部下面に、パッキン５５１を介して下フランジ部９６を当接させる。この状態で施工者は、第２内筒体９２を第２トラップ本体９１の内側に螺合して、上フランジ部９８と下フランジ部９６との間で、第２排水口５５の周縁部を挟持する。これにより第２トラップ部９は洗い場パン５３に固定される。
【００２８】
なお、洗い場パン５３の浴槽１側には、洗い場パン５３の上面より下方に凹んだ凹所５６が設けてあり、凹所５６の奥面に第２排水口５５が形成されている。また凹所５６には、洗い場パン５３の上面と略面一となるよう排水蓋（不図示）が脱着自在で取り付けられる。
【００２９】
第２トラップ部９は、封水を形成するための封水部１００を備えている。封水部１００は、第２トラップ本体９１の内部に設けられている。封水部１００は、外筒部１０１と、トラップ筒１０２とを備えている。外筒部１０１は、第２トラップ本体９１の内底面から上方に向けて突出する。外筒部１０１は、外筒部１０１の内部と流入部９４とを連通する連通口１０４を有している。トラップ筒１０２は、その上端が第２排水口５５に連通接続されている。トラップ筒１０２は、その下端が、外筒部１０１の内側に挿入されている。そしてトラップ筒１０２の前記下端は、第２トラップ本体９１の内底面と離間している。
【００３０】
第２トラップ部９は、流出口筒部１０３を備えている。流出口筒部１０３は、排水管（不図示）に接続される。そしてトラップ部６は、流出口筒部１０３によって、浴槽１側の排水と洗い場側の排水とを合流させた上で前記排水管に排水する。
【００３１】
連通経路６１は、第１トラップ部７の流出部７４と第２トラップ部９の流入部９４とを連通接続する。連通経路６１は、例えば蛇腹状の可撓性を有する連通管で形成してある。連通経路６１は、断面略楕円形の筒状になっている。
【００３２】
ところでトラップ部６は、湯水（以下、単に水と記載する）が第２排水口５５又は排水口１４に流入すると、排水トラップ部６の内部の液面（水面）が、外筒部１０１の上端高さ（例えば封水線Ｌ１参照）に位置するまで前記水を貯留する。これによりトラップ部６は、第２トラップ部９及び第１トラップ部７のいずれにも、封水が形成される。トラップ部６は、封水が形成された状態で、さらに水が流入すると、水が外筒部１０１の上端からオーバーフローする。そしてこの外筒部１０１からオーバーフローした水は、流出口筒部１０３に向けて流出し、排水管を介して排水される。
【００３３】
浴槽１は、湯水が貯められる貯留部１１と、貯留部１１の上端から外方に向けて突出したフランジ片１２（図３参照）とを備えている。浴槽１は、フランジ片１２と防水パン５の堰部５４との間にエプロン部１３（図３参照）が設けられている。浴槽１の底面には、上下方向に貫通した排水口１４（第１排水口）が設けられている。排水口１４は円状に開口している。排水口１４は、径内方向側に円環状の受け片１４１を有している。受け片１４１には、取付具３（詳細は後述する）を介して、排水口１４を開閉自在に閉塞する開閉栓装置２が設けられている。開閉栓装置２は、所謂ポップアップ式の開閉栓２１であり、遠隔操作が可能となっている。
【００３４】
開閉栓装置２は、第１排水口１４を開閉する開閉栓２１と、開閉栓２１を開閉駆動するメカボックス２２と、メカボックス２２を介して開閉栓２１に連結されるレリース２３と、レリース２３を介した前記遠隔操作用の操作部２４とを備えている。
【００３５】
レリース２３は、アウターチューブ２３２と、このアウターチューブ２３２内に配設されたインナーワイヤー２３１とを備える。インナーワイヤー２３１は、アウターチューブ２３２に対し相対的に進退自在に移動する。レリース２３は、第１端２３ａがメカボックス２２に取り付けられ、第１端２３ａとは反対側の第２端２３ｂが操作部２４に取り付けられている。レリース２３は、操作部２４が操作されると、インナーワイヤー２３１が進退移動する。これによりメカボックス２２が開閉栓２１を開閉駆動する。
【００３６】
操作部２４は、例えば浴槽１のフランジ片１２に設けられる。本接続構造の操作部２４は、例えば操作ボタンになっている。操作部２４は、操作ボタンを押圧することで開閉栓２１を開放し、再び押圧することで開閉栓２１を閉塞する。言い換えると操作部２４は、操作ボタンがユーザー（操作者）に押圧される毎に、開閉栓２１に開閉動作を繰り返し行わせる。
【００３７】
開閉栓２１は、排水口１４を閉塞する栓部２１１と、栓部２１１をメカボックス２２に取り付けるための取付部２１２とを備えている。開閉栓２１は、取付部２１２を介してメカボックス２２に取り付けられる。
【００３８】
メカボックス２２は、下端部にレリース２３が取り付けられ、上端部に開閉栓２１が取り付けられる。メカボックス２２は、操作部２４の操作に応じてレリース２３のインナーワイヤー２３１が押し込まれる（前進する）と、上方に向けて開閉栓２１を駆動する。これにより開閉栓装置２は排水口１４を開放する。そしてメカボックス２２は、レリース２３のインナーワイヤー２３１が引っ張られる（後退する）と、下方に向けて開閉栓２１を駆動する。これにより開閉栓装置２は排水口１４を閉じる。またメカボックス２２は、排水口１４に取り付けられる取付具３内に収納配置される。
【００３９】
取付具３は、浴槽１の排水口１４内に上方から挿入される円筒部３１と、円筒部３１の上端に設けられた上鍔部３２とを備えている。上鍔部３２は円環状に形成してある。上鍔部３２は、円筒部３１と略同心で径外方向に突出して設けられている。上鍔部３２は受け片１４１との間にパッキン１４２を介在して、受け片１４１に載置される。これにより取付具３は、排水口１４に取り付けられる。また上鍔部３２は内周側に開閉栓２１が配置されている。円筒部３１は内周側にメカボックス２２が配置されている。
【００４０】
円筒部３１は、排水口１４からの排水が流通する流路筒４３として機能する。また円筒部３１は、その外周面に第５のねじ部３１１が設けられている。第５のねじ部３１１は、蓋部４に螺合する。これにより蓋部４が取付具３に固定される。
【００４１】
蓋部４は取付具３を介して浴槽１に固定された状態となっており、浴槽パン５１に固定されない状態（非固定）となっている。蓋部４は、略長円形状の板状部４１０と、排水口１４に固定される固定部４２とを一体で備えている。固定部４２は、略円筒状に形成してある。固定部４２は、上端にフランジ部４２１が設けてあり、直接或いはスペーサ４２２を介して、受け片１４１に当接される。また固定部４２は、筒の内周面に第６のねじ部４２３が設けられている。第６のねじ部４２３は、第５のねじ部３１１に螺合する。これにより蓋部４は、固定部４２の内周側を排水口１４に連通させた状態で、浴槽１に固定される。また固定部４２３の下端には、板状部４１０が一体に設けてある。
【００４２】
板状部４１０は、長円の長軸方向の一端側（第１円弧側）に、円状の開口部４１１が設けてある。開口部４１１は固定部４２の内周側に連通している。また板状部４１０は、その外縁部に縦片４４を有している。縦片４４は、板状部４１０から下方に突出している。そして縦片４４は、板状部４１０の全周に亘って設けてあり、板状部４１０より小寸の略長円の環形状に形成してある。また縦片４４は、トラップカバー８０の上面の連通開口８３の縁部に配置される。縦片４４は、トラップカバー８０との間に、スポンジパッキン等の止水材４４２を介してトラップカバー８０の上面に水密状態で取り付けられる。
【００４３】
これにより蓋部４は、浴槽パン５１に設置される。このとき蓋部４は、板状部４１０で連通開口８３を上方側から覆い、連通開口８３と排水口１４を連通させる。言い換えると、蓋部４は、開口部４１１及び固定部４２及び縦片４４で、排水口１４と第１トラップ部７とを連通させる連通孔４１を形成している。そして蓋部４は、縦片４４をトラップカバー８０の上面に当接したことで、板状部４１０を浴槽パン５１の上面５１ａより上方に位置させている。
【００４４】
また蓋部４は、突出部４５を有している。突出部４５は板状部４１０に設けてある。突出部４５は、板状部４１０の長軸方向において開口部４１１の反対側（第２円弧側）に設けてある。言い換えると板状部４１０は、前記第１円弧側の半部側に開口部４１１が設けてあり、前記第２円弧側の半部側に突出部４５が設けてある。突出部４５は、固定部４２（流路筒４３）より平面視外方に位置する。
【００４５】
突出部４５は板状部４１０から上方に突出しており、突出先端が固定部４２のフランジ部４２１の上面と略同じ高さに位置する。突出部４５の内部は断面略三角形状の空間４５２になっており、この空間４５２の下端部が、縦片４４の内側（連通孔４１）に連通している。
【００４６】
また突出部４５は、突出先端から前記第２円弧側に傾斜面４５１を有している。傾斜面４５１は、長軸方向に沿って第１円弧側から第２円弧側に向けて下り傾斜している。言い換えると突出部４５は、固定部４２の径外方向に向かう程下向き傾斜した傾斜面４５１を有する。突出部４５は、傾斜面４５１の例えば上下方向の略中央に、貫通孔４６が設けてあり、貫通孔４６は板状部４１０（浴槽パン５１の上面５１ａ）より上方に位置する。
【００４７】
貫通孔４６は、その孔内部にゴムブッシュ等の水密用部材４６１が取り付けられる。水密用部材４６１は、貫通孔４６の縁部とレリース２３との間に位置して、この間に水密構造を形成する。これによりレリース２３は、貫通孔４６に水密状態で貫通する。そして水密用部材４６１は、レリース２３を貫通孔４６内に弾性的に保持する。これによりレリース２３は、貫通孔４６に対する取付位置が規定・保持される。言い換えると蓋部４は、突出部４５を上下方向に貫通してレリース２３が配置される。このときレリース２３は、傾斜面４５１に略直行して挿通した姿勢に保持される。このためレリース２３の突出部４５に対する挿通方向（貫通方向）は、上下方向に対して長軸方向側に傾斜した向きになっている。
【００４８】
このような構成の本実施形態の浴槽１は、例えば、次のようにして浴槽パン５１上に取り付け施工される。まず施工者は、浴槽パン５１に設置される前の浴槽１に、開閉栓装置２を設置する。施工者は、浴槽１の排水口１４に取付具３を取り付ける。この後施工者は、取付部３と固定部４２とを締結して、浴槽１の排水口１４下方に蓋部４を固定する。
【００４９】
この固定後施工者は、レリース２３の第１端２３ａを、蓋部４の連通孔４１に下方から通した状態で、この第１端２３ｂにメカボックス２２を連結する。次いで施工者は、メカボックス２２を取付具３内に配置する。或いは施工者は、レリース２３の第１端２３ａをメカボックス２２に連結後、レリース２３の第２端２３ｂを連通孔４１に上方から通す。次いで施工者は、メカボックス２２を取付具３内に配置する。なお、以上の工程は、施工現場で行ってもよいし、浴槽製造時等の施工現場へ持ち込む前に行ってもよい。
【００５０】
またレリース２３を連結してメカボックス２２を取付具３内に配置した状態で、施工者は、浴槽１を浴槽パン５１の上方に載置する。このとき施工者は、蓋部４で連通開口８３を覆うようにして、浴槽１を浴槽パン５１に載置する。これによりレリース２３は、排水口１４・第１トラップ部７・貫通孔４５を通った取付状態となる。この後施工者は、レリース２３の第２端２３ｂを、フランジ片１２に設けられた操作部２４に連結する。そして施工者は、フランジ片１２と堰部５４との間にエプロン部１３を設置する。
【００５１】
このように本実施形態の浴槽排水部の接続構造（以下、本接続構造）は、レリース２３を挿通する貫通孔４６が、蓋部４の板状部４１０より上方に設けられている。そして、本接続構造は、貫通孔４６及び連通孔４１を有した蓋部４が、固定部４２で浴槽１に固定してある。このため浴槽１を設置するに当たり、施工者は、予め、レリース２３について蓋部４の下方を通すと共に湾曲させて排水口１４に配置させておいたり開閉栓２１との連結を済ませておいたりすることができる。このため施工者は、浴槽１設置後に、第１トラップ部７内の狭い部分にレリース２３を通したり、排水口１４を介して第１トラップ部７内のレリース２３を引き出したりする作業を行なう必要がなく、レリース２３を簡単に設置することができる。これにより本接続構造は、ポップアップ式の開閉栓２１の設置作業等の作業性を向上させ易くする（作業し易くする）ことができて、施工し易くすることができる。
【００５２】
本接続構造は、貫通孔４６にレリース２３を水密状態で貫通させている。そして本接続構造は、排水口１４に上流端を連通させた流路筒４３（円筒部３２）を連通孔４１が備える。更に本接続構造は、流路筒４３より平面視外方に突出部４５を設け、突出部４５を下方側のみで連通孔４１に連通させてある。これらにより本接続構造は、浴槽１からの排水の流路筒４３から突出部４５への直接流入を抑制することができて、排水時等に流路筒４３を流通する水の圧力等を水密用部材４６１に加わり難くすることができる。そして本接続構造は、例えば浴槽１の排水時等に、突出部４５内部（空間４５２）に空気を滞留し易くする等で、空間４５２に排水を流入し難くすることができる。
【００５３】
そして本接続構造は、貫通孔４６を浴槽パン５１の上面５１ａより上方に配置したことで、例えば浴槽１の排水時に連通孔４１からの水が浴槽パン５１の上面５１ａに溢れた際等に、この溢れた水（水面）より上方に貫通孔４６を位置し易くすることができる。言い換えると本接続構造は、前記溢れた水等の第１トラップ部７の封水線Ｌ１を超えた水を、突出部４５内（空間４５２）に流入し難くすることができる。
【００５４】
このように本接続構造は、前記排水時等に貫通孔４６に加わる水圧等の負荷を軽減し易くすることができて、例えば水密用部材４６１が連通孔４１からの水に押し流される等での、水密性能の低下等を抑制することができる。このため本接続構造は、貫通孔４６からの漏水を抑制し易くすることができる。
【００５５】
本接続構造は、レリース２３が上下方向に対して傾斜して蓋部４に貫通している。そのため本接続構造は、上下方向に沿って貫通した場合に比べて、蓋部４の下方でのレリース２３の湾曲の回数を少なくしたりその角度を緩やかにしたりして配置することができる。これにより本接続構造は、例えば設置姿勢に伴いレリース２３に係る負荷を軽減する等で、開閉栓２１の開閉の繰り返しに伴うレリース２３の劣化を軽減し易くすることができる。そして本接続構造は、湾曲の回数を小さくしたりその角度を緩やかにしたりしたことで、例えばインナーワイヤー２３１が進退し易くなる等で、操作部２４での操作力（開閉栓２１を作動させる力）を軽減し易くすることができる。
【００５６】
本接続構造は、蓋部４に縦片４４を設けたことで、例えばトラップカバー８０（覆い部８２）を浴槽パン５１の上面５１ａより低くした場合等でも、板状部４１０や貫通孔４６を浴槽パン５１の上面５１ａより上方に配置し易くすることができる。そして本接続構造は、前記構成により、浴槽パン５１上の水が板状部４１０上に流入し難くすることができて、例えば浴槽パン５１側から水圧等での、水密用部材４６１の外れやレリース２３の位置ずれ等を生じ難くすることができる。
【００５７】
また本接続構造は、水密用部材４６１が、レリース２３の貫通孔４６に対する取付位置を規定・保持する位置保持部材としての機能を兼ねている。このため本接続構造は、レリース２３の取付位置を固定した状態で、浴槽１を浴槽パン５１上に設置することができる。すなわち本接続構造は、浴槽パン１への設置前の状態でレリース２３を所定の位置に保持することで、浴槽１を載置する際に、レリース２３の蓋部４の下方に位置する部位に弛みを生じ難くすることができる。これにより本接続構造は、浴槽１設置時に、蓋部４とトラップカバー８０との間へのレリース２３の噛み込みを生じ難くすることができる。
【００５８】
なお本発明は、前述の実施形態の構成のみに限定されるものではなく、本発明の意図する範囲内であれば、適宜の設計変更を行うことが可能である。例えば蓋部４は、長円形状に限らず、楕円形状や円形状、或いは矩形状等であってもよい。また例えば蓋部４は、排水部８５が設けられたもの等であってもよい。この場合、蓋部４は、縦片４４の下部に第２の板状部を備える等で、突出部４５（貫通孔４６）より下方に排水部８５を配置することが好ましい。また例えば、レリース２３は、貫通孔４６に水密状態で貫通可能であれば、水密用部材４６１を介して貫通孔４６に貫通したものに限らない。
【００５９】
また例えば蓋部４は、突出部４５を円筒状に形成してもよい。この場合、突出部４５は円筒の軸方向が、例えば上下方向から長軸方向の第２円弧側に傾斜して設けられる。言い換えると突出部４５は、例えば円筒の第１端側が板状部４１０から縦片４４の内周側に斜めに開口し、円筒の第２端面が、上下方向に対して傾斜した傾斜面４５１になっている。また突出部４５は、円筒内周側にレリース２３が挿通され、前記第２端面に水密用部材４６１を介して保持される。これにより本浴槽排水部の接続構成は、前述の実施形態のように、作業性が向上したり、水密性能の低下を抑制したりすることができる。
【００６０】
また例えば防水パン５は、浴槽パン５１と洗い場パン５３とが別体となった分割型の防水パン５であってもよいし、浴槽パン５１と洗い場パン５３とが一体成形された一体型の防水パン５であってもよい。また例えば本接続構造は、蓋部４に第１トラップ部７のトラップ筒が設けられたもの等の、蓋部４にトラップカバー８０の機能の一部が設けられたものであってもよい。また例えば排水用部材は、排水トラップ６部に限らず、排水開口５２に目皿部材を配置して浴槽パン５２の下方に排水用エルボ部材等の流路部材を配置したものであってもよい。この場合では、洗い場側にトラップ部（第２トラップ部９）を備えて、このトラップ部に排水用エルボ部材の下流側を連通経路６１等で接続することが好ましい。
【符号の説明】
【００６１】
１  浴槽
４  蓋部
５  防水パン
１４  排水口
２１  開閉栓
２３  レリース
４１  連通孔
４２  固定部
４３  流路筒
４５  突出部
４６  貫通孔
５１  浴槽パン
５１ａ  上面
５２  排水開口
８０  トラップカバー
８２  覆い部
８３  連通開口
４５１  傾斜面
４５２  空間
４６１  水密用部材
Ｌ１  排水線
【図１】
2014031678.tif 000003
【図２】
2014031678.tif 000004
【図３】
2014031678.tif 000005
【図４】
2014031678.tif 000006